(57)【要約】【課題】  簡易な構造でありながら、長尺体を効率よく洗浄できる洗浄装置を提供する。【解決手段】  ローラコンベア２０などの搬送手段における搬送経路に、それぞれ長手方向に延び、かつ、該長手方向と直交する方向に並列して設けられた２つの搬送通路部２３、２４のうち一方の搬送通路部２３を搬送されてきた栽培容器などの長尺体に洗浄ヘッド５０で洗浄を施した後、一方の搬送通路部２３を搬送されてきた長尺体を他方の搬送通路部２４へと移動して前記搬送方向と逆向きの搬送方向に搬送し、搬送されてきた長尺体に洗浄ヘッド５０で消毒などを施すようにした。従って、１台の搬送手段で２度の洗浄を行うことができる。このため、簡易な構成でコスト的に有利であると共に、設置スペースの削減を図れ、作業工数や作業時間の低減を図ることができる。【選択図】  図５
2005329332.tif 000002
【特許請求の範囲】
【請求項１】
長尺体を搬送しながら洗浄を行う洗浄装置であって、
並列配置された複数の回転ローラを備え、該回転ローラによりその軸方向に直交する方向に長尺体の長手方向を沿わせて搬送する搬送経路が形成されると共に、回転ローラの一端側に第１の搬送通路部が、他端側に第２の搬送通路部が並列して設定されたローラコンベアと、
第１の搬送通路部による長尺体の搬送方向と第２の搬送通路部による長尺体の搬送方向とが互いに逆向きとなるように前記各回転ローラを回転駆動する駆動手段と、
前記ローラコンベアの搬送経路の一方の端部側に設けられ、第１の搬送通路部を搬送されてきた長尺体を、その長手方向が搬送方向に沿った姿勢を維持したまま第２の搬送通路部へと移動させる移動手段と、
前記ローラコンベアの搬送経路の中途に設けられ、第１の搬送通路部と第２の搬送通路部を通過する長尺体をそれぞれ洗浄する第１の洗浄部と第２の洗浄部とが並列して設けられている洗浄ヘッドと
を具備することを特徴とする長尺体の洗浄装置。
【請求項２】
前記駆動手段は、並列配置された各回転ローラを、適宜本数おきに一方向と逆方向とに回転可能であることを特徴とする請求項１記載の長尺体の洗浄装置。
【請求項３】
前記駆動手段は、モータと、該モータにより回転駆動する駆動軸と、該駆動軸の駆動力を各回転ローラに伝達するため駆動軸と各回転ローラとの間に巻き掛けられるベルトとを備えて構成され、
前記ベルトの巻き掛け方向を、適宜本数おきに互いに逆方向としたことを特徴とする請求項２記載の長尺体の洗浄装置。
【請求項４】
前記駆動軸が長尺体の搬送方向に沿って設けられており、該駆動軸と各回転ローラとの間に巻き掛けられる前記ベルトの巻き掛け方向を、回転ローラ一本おきに互いに逆方向とし、駆動軸が所定方向に回転すると、該ベルトを介して各回転ローラが一本おきに一方向と逆方向とに回転することを特徴とする請求項３記載の長尺体の搬送装置。
【請求項５】
前記回転ローラの軸方向一端側の外径が、適宜本数おきに他の回転ローラより大となっており、他の回転ローラは軸方向他端側の外径が大となっていることを特徴とする請求項１〜４のいずれか１に記載の長尺体の洗浄装置。
【請求項６】
前記移動手段の配設位置付近に配設され、前記移送手段により第１の搬送通路部から第２の搬送通路部へと搬送方向に沿った姿勢を維持したまま移動せしめられる際に長尺体の下方に位置する回転ローラのうち、長尺体を搬送方向に沿った姿勢で安定して支持可能な距離だけ離間した少なくとも２本の回転ローラは、回転軸に沿った一端側と他端側との間が外径大となっており、中継ローラとして機能することを特徴とする請求項１〜５のいずれか１に記載の長尺体の搬送装置。
【請求項７】
前記各回転ローラの回転軸に沿った一端側、他端側又はそれらの間に筒状部材を装着し、回転ローラの外径大の部分を形成したことを特徴とする請求項５又は６記載の長尺体の洗浄装置。
【請求項８】
前記移動手段は、前記ローラコンベアの上方を搬送方向と直交する方向に往復動作すると共に、長尺体の側部に接触可能な爪部を有するスライド部材を備え、
前記スライド部材が一方へ移動することにより、第１の搬送通路部を搬送されてきた長尺体の側部を該スライド部材の爪部により押し、搬送方向に沿った姿勢を維持したまま第２の搬送通路部へと移動させる構成であることを特徴とする請求項１記載の長尺体の洗浄装置。
【請求項９】
前記長尺体は、内部に培地を充填することができる長尺の植物栽培容器であることを特徴とする請求項１〜８のうちいずれか１に記載の長尺体の洗浄装置。
【発明の詳細な説明】
【技術分野】
【０００１】
本発明は、長尺体の洗浄装置に関し、より詳しくは、コンパクトな構成でありながら、長尺体に対して少なくとも２度の洗浄を施すことができ、特に、長尺な植物栽培容器の洗浄に適する長尺体の洗浄装置に関する。
【背景技術】
【０００２】
近年、果菜類（ナス、トマト、キュウリ、マクワウリなどのように果実を食用とする野菜）及び果樹類の温室栽培が盛んに行われている。かかる温室栽培の方法の１つとして、所定の幅と長さ（例えば、幅５〜２０ｃｍ、長さ１〜３ｍ）を有し、金属や合成樹脂等からなる長尺な箱形の栽培容器の内部にロックウールなどの培地を充填した栽培ヘッド（栽培床）を用いた栽培法がある。地面や支持部材等に支持させた栽培ヘッドに苗を定植し、その苗を上方に成育させ、結実させた後に収穫する。
【発明の開示】
【発明が解決しようとする課題】
【０００３】
ところで、果実の収穫が終わった後は、栽培容器を再使用するために、栽培容器を洗浄することが望ましく、さらには、滅菌等のため消毒も行うことが望ましい。従来、かかる洗浄を自動で行う装置はなく、手作業によって行うのが通常である。例えば、最初に水や洗剤で洗浄し、次いで、同じ工程を繰り返したり、あるいは消毒剤により洗浄（消毒）したりすることが行われている。いずれにしても、最低でも２度の洗浄を行うことが望ましく、このような作業を長尺な栽培容器に手作業で施すのは大変であり、作業効率の点でも問題があった。
【０００４】
本発明者は、上記した点に鑑み種々検討した結果、ローラコンベアを用いて長尺な栽培容器を自動的に搬送し、その搬送過程で洗浄することを考えたが、少なくとも２度の洗浄を施すために、水や洗剤等を吐出する洗浄ヘッドを搬送方向に沿って直列に配置したのでは、搬送経路が長くなり、ローラコンベアが大型化し、製作コストも高くなる。また、栽培容器を一方向に搬送するだけでは、栽培容器を搬送経路の入り口側に載せる作業者と出口側で待機する作業者が必要となり、作業効率の点で問題が残る。
【０００５】
本発明は上記した点に鑑みなされたものであり、植物の栽培容器などの長尺体の自動洗浄を可能にすると共に、できるだけコンパクトなローラコンベアを用いて、少なくとも２度の洗浄を効率よく施すことができ、洗浄作業を容易化できる長尺体の洗浄装置を提供することを課題とする。
【課題を解決するための手段】
【０００６】
上記課題を解決するため、請求項１記載の本発明では、長尺体を搬送しながら洗浄を行う洗浄装置であって、
並列配置された複数の回転ローラを備え、該回転ローラによりその軸方向に直交する方向に長尺体の長手方向を沿わせて搬送する搬送経路が形成されると共に、回転ローラの一端側に第１の搬送通路部が、他端側に第２の搬送通路部が並列して設定されたローラコンベアと、
第１の搬送通路部による長尺体の搬送方向と第２の搬送通路部による長尺体の搬送方向とが互いに逆向きとなるように前記各回転ローラを回転駆動する駆動手段と、
前記ローラコンベアの搬送経路の一方の端部側に設けられ、第１の搬送通路部を搬送されてきた長尺体を、その長手方向が搬送方向に沿った姿勢を維持したまま第２の搬送通路部へと移動させる移動手段と、
前記ローラコンベアの搬送経路の中途に設けられ、第１の搬送通路部と第２の搬送通路部を通過する長尺体をそれぞれ洗浄する第１の洗浄部と第２の洗浄部とが並列して設けられている洗浄ヘッドと
を具備することを特徴とする長尺体の洗浄装置を提供する。
請求項２記載の本発明では、前記駆動手段は、並列配置された各回転ローラを、適宜本数おきに一方向と逆方向とに回転可能であることを特徴とする請求項１記載の長尺体の洗浄装置を提供する。
請求項３記載の本発明では、前記駆動手段は、モータと、該モータにより回転駆動する駆動軸と、該駆動軸の駆動力を各回転ローラに伝達するため駆動軸と各回転ローラとの間に巻き掛けられるベルトとを備えて構成され、
前記ベルトの巻き掛け方向を、適宜本数おきに互いに逆方向としたことを特徴とする請求項２記載の長尺体の洗浄装置を提供する。
請求項４記載の本発明では、前記駆動軸が長尺体の搬送方向に沿って設けられており、該駆動軸と各回転ローラとの間に巻き掛けられる前記ベルトの巻き掛け方向を、回転ローラ一本おきに互いに逆方向とし、駆動軸が所定方向に回転すると、該ベルトを介して各回転ローラが一本おきに一方向と逆方向とに回転することを特徴とする請求項３記載の長尺体の搬送装置を提供する。
請求項５記載の本発明では、前記回転ローラの軸方向一端側の外径が、適宜本数おきに他の回転ローラより大となっており、他の回転ローラは軸方向他端側の外径が大となっていることを特徴とする請求項１〜４のいずれか１に記載の長尺体の洗浄装置を提供する。
請求項６記載の本発明では、前記移動手段の配設位置付近に配設され、前記移送手段により第１の搬送通路部から第２の搬送通路部へと搬送方向に沿った姿勢を維持したまま移動せしめられる際に長尺体の下方に位置する回転ローラのうち、長尺体を搬送方向に沿った姿勢で安定して支持可能な距離だけ離間した少なくとも２本の回転ローラは、回転軸に沿った一端側と他端側との間が外径大となっており、中継ローラとして機能することを特徴とする請求項１〜５のいずれか１に記載の長尺体の搬送装置を提供する。
請求項７記載の本発明では、前記各回転ローラの回転軸に沿った一端側、他端側又はそれらの間に筒状部材を装着し、回転ローラの外径大の部分を形成したことを特徴とする請求項５又は６記載の長尺体の洗浄装置を提供する。
請求項８記載の本発明では、前記移動手段は、前記ローラコンベアの上方を搬送方向と直交する方向に往復動作すると共に、長尺体の側部に接触可能な爪部を有するスライド部材を備え、
前記スライド部材が一方へ移動することにより、第１の搬送通路部を搬送されてきた長尺体の側部を該スライド部材の爪部により押し、搬送方向に沿った姿勢を維持したまま第２の搬送通路部へと移動させる構成であることを特徴とする請求項１記載の長尺体の洗浄装置を提供する。
請求項９記載の本発明では、前記長尺体は、内部に培地を充填することができる長尺の植物栽培容器であることを特徴とする請求項１〜８のうちいずれか１に記載の長尺体の洗浄装置を提供する。
【発明の効果】
【０００７】
本発明の長尺体の洗浄装置によれば、ローラコンベアに形成される搬送経路として、並列的に２つの搬送通路部が設定されており、各搬送通路部による長尺体の搬送方向が互いに逆向きとなるように設けられ、かつ、第１の搬送通路部を搬送されてきた長尺体を、その長手方向が搬送方向に沿った姿勢を維持したまま第２の搬送通路部へと移動させる移動手段を備えている。従って、ローラコンベアの一の端部側で長尺体を載置すれば、第１の搬送通路部により、一方向に搬送され、その中途に配置された洗浄ヘッドの第１の洗浄部により、最初の洗浄が施され、その後、移動手段により第２の搬送通路部へと移り、上記と逆方向に搬送され、洗浄ヘッドの第２の洗浄部により２度目の洗浄が施されて、ローラコンベアの一の端部側に戻ってくる。
【０００８】
すなわち、長尺体は、１台のローラコンベアに設置された１つの洗浄ヘッドを往復搬送されることにより２度通過することになり、設置スペースが小さくて済むコンパクトかつ簡易な構造でありながら、効率のよい洗浄が施される。また、長尺体は１台のローラコンベアを往復するため、作業者はローラコンベアの一の端部側に待機していればよく、最低限の作業人員で実施でき、作業性の向上を図ることができる。
【発明を実施するための最良の形態】
【０００９】
以下、図面に示した実施の形態に基づき本発明をさらに詳細に説明する。図１は、本実施形態にかかる長尺体の洗浄装置１の概略構成を示す斜視図であり、図２から図４は搬送手段であるローラコンベア２０の詳細構造を示す図である。本実施形態の洗浄装置１は、長尺体としての内部に培地を充填することができる長尺の箱形の栽培容器１１を搬送しながら２度の洗浄を行う洗浄装置であり（図５参照）、搬送手段としてのローラコンベア２０と、該ローラコンベア２０を駆動する駆動手段としてのモータＭ及びベルト３０、３１と、移動手段４０と、洗浄ヘッド５０とを具備したものである。
【００１０】
ローラコンベア２０は、底部に複数の脚部２１ａを備えた一方向に長い支持枠体２１の上部に、複数の回転ローラ２２Ａ，２２Ｂを、支持枠体２１の長手方向に沿って並列的に側板間に掛け渡してそれぞれ回転自由に設けて構成される。この回転ローラ２２Ａ，２２Ｂにより長尺体である栽培容器１１の搬送経路が形成される。
【００１１】
具体的には、各回転ローラ２２Ａ，２２Ｂの軸方向一端側に第１の搬送通路部２３が形成され、他端側に第２の搬送通路部２４が並列して形成される。また、回転ローラ２２Ａ，２２Ｂは、第１の搬送通路部２３による長尺体の搬送方向と第２の搬送通路部２４による長尺体の搬送方向とが互いに逆向きとなるように設定される。すなわち、回転ローラ２２Ａ，２２Ｂは、所定本数おきに、本実施形態では、１本おきに一方向と逆方向とに回転するように設けられ、第１の搬送通路部２３においては、栽培容器１１が一方向に回転する回転ローラ２２Ａのみに接して一方向に搬送され、第２の搬送通路部２４においては、栽培容器１１が逆方向に回転する回転ローラ２２Ｂのみに接して逆方向に搬送される。
【００１２】
ローラコンベア２０を構成する一つの支持枠体２１に支持させた回転ローラ２２Ａ，２２Ｂをこのように互いに逆向きに回転させる手段として、本実施形態では図２及び図３に示したような駆動手段を用いている。すなわち、支持枠体２１の下部の適宜スペースに取り付けられるモータＭと、同じく支持枠体２１の下部に、ローラコンベア２０の長手方向（栽培容器１１の搬送方向）に沿って設けられ、モータＭに接続されて回転駆動する駆動軸３２と、前記駆動軸３２と各回転ローラ２２Ａ，２２Ｂとの間に巻き掛けられるベルト３０，３１を備えて構成されている。
【００１３】
一方のベルト３０は、図４（ａ）に示したように、駆動軸３２に巻き掛けた後、一方向に９０度ひねって一方の回転ローラ２２Ａの端部に形成された周溝２２ａに巻き掛けられ、他方のベルト３１は、図４（ｂ）に示したように、駆動軸３２に巻き掛けた後、上記と逆方向に９０度ひねって他方の回転ローラ２２Ｂの端部に形成された周溝２２ｂに巻き掛けられる。駆動軸３２は、１台のモータＭにより回転駆動するため、図４の矢印Ｃ方向に一方向に回転するのみであるが、ベルト３０，３１を上記のように巻き掛けることにより、駆動軸３２が矢印Ｃ方向に回転すると、一方の回転ローラ２２Ａは、図４（ａ）の矢印Ａ方向に回転し、他方の回転ローラ２２Ｂは、図４（ｂ）の矢印Ｂ方向に回転する。これにより、回転ローラ２２Ａ、２２Ｂは、一本おきに逆方向に回転することになる。
【００１４】
駆動手段は、一方の回転ローラ２２Ａと他方の回転ローラ２２Ｂとを互いに逆方向に回転させ、搬送方向が逆となる第１の搬送通路部２３と第２の搬送通路部２４を形成できればよく、上記構成に限らず、例えば、一方の回転ローラ２２Ａと他方の回転ローラ２２Ｂとを異なるモータ、駆動軸に接続する構成とすることも可能である。但し、より簡易な構成で低コストで実施するためには、本実施形態のように１台のモータＭによって回転ローラ２２Ａ，２２Ｂを互いに逆方向に回転させる構成とすることが好ましい。
【００１５】
長尺体である栽培容器１１を一方向に搬送する際に、一方の回転ローラ２２Ａのみに接するようにし、逆方向に搬送する際に、他方の回転ローラ２２Ｂのみに接するようにするに当たっては、回転ローラ２２Ａでは、軸方向一端側の外径を大径とし、回転ローラ２２Ｂでは、軸方向他端側の外径を大径とすればよい。本実施形態では、一方の回転ローラ２２Ａの一端側に、ゴムや合成樹脂等からなる筒状部材２２ｃを装着し、他方の回転ローラ２２Ｂの他端側に、同様の筒状部材２２ｄを装着して外径を太くしている。回転ローラ２２Ａ，２２Ｂの一部のみの外径を太くする手段としては、予め当該部分のみ外径を異ならせた回転ローラを製作することによっても達成できるが、既存の回転ローラを用いて低コストで実現するためには、本実施形態のように筒状部材２２ｃ，２２ｄを必要箇所に装着する構成とすることが好ましい。
【００１６】
移動手段４０は、ローラコンベア２０における搬送経路の一方の端部側（終端側）に設けられ、搬送経路に長手方向を沿わせた姿勢で第１の搬送通路部２３により搬送されてきた栽培容器１１を、その姿勢を維持した状態で、第２の搬送通路部２４へと回転ローラの回転軸方向に沿って移動させるものである（図５参照）。具体的には、ローラコンベア２０の終端側において、支持枠体２１に支持されるフレーム４１と、ローラコンベア２０上を回転ローラ２２Ａ，２２Ｂの軸方向に往復動作可能となるように、フレーム４１のレール部４１ａに沿ってスライド自由に支持され、両端部に爪部４２ａを有するスライド部材４２と、該スライド部材４２を動作させる図示しないシリンダなどの動作手段とを備えて構成される。また、ローラコンベア２０の終端側の適宜位置には、第１の搬送通路部２３より搬送されてきた栽培容器１１の長手方向端壁が接するストッパ４３が支持枠体２１に取り付けられている。
【００１７】
これにより、第１の搬送通路部２３を搬送されてきた栽培容器１１の長手方向端壁がストッパ４３に当接すると、その位置で停止し、スライド部材４２の爪部４２ａにより栽培容器１１の側部（側板）を押して第２の搬送通路部２４へと移動させる（図１及び図５参照）。スライド部材４２は次に搬送されてくる栽培容器１１に備えて元位置に復帰する。この場合、第１の搬送通路部２３を搬送されてきた栽培容器１１が、ローラコンベア２０の終端側に移送されてきたことを感知する任意のセンサ（図示せず）を設け、このセンサからの信号でスライド部材４２を動作するシリンダなどの動作手段を制御するようにする。なお、移動手段４０は、第１の搬送通路部２３により搬送されてきた栽培容器１１を、その姿勢を維持した状態で、第２の搬送通路部２４へと回転ローラの回転軸方向に沿って移動させることができる限り、上記構造に限定されるものではないが、上記構造によれば、簡易な構成でかかる動作を達成できる。
【００１８】
ここで、移動手段４０のスライド部材４２によって、栽培容器１１を、第１の搬送通路部２３から第２の搬送通路部２４へと回転ローラの回転軸方向に沿って移動させる際、上記したように、回転ローラ２２Ａ，２２Ｂは、大径部分の位置（筒状部材２２ｃ，２２ｄの装着位置）が異なるため、そのままでは第１の搬送通路部２３から第２の搬送通路部２４へ移動させる途中に段差があり、栽培容器１１の側板を押して移動させることはできない。このため、移動手段４０の配設位置付近に配設される回転ローラのうち、栽培容器１１の長手方向端壁がストッパ４３に当接して止まった際に、搬送方向に沿った姿勢で安定して支持可能な距離だけ離間した少なくとも２本（本実施形態では計４本）の回転ローラ２２Ｃ，２２Ｄには、軸心に沿った一端側と他端側との間に、図２及び図４に示したように上記と同様の筒状部材２２ｅ，２２ｆを装着する。これにより、当該部分の外径が大になり、上記回転ローラ２２Ａ，２２Ｂの大径部分と同じ太さになるため、軸心に沿った方向へ移動させる際の段差が解消され、栽培容器１１は円滑に移動する。すなわち、これらの回転ローラ２２Ｃ，２２Ｄは、中継ローラとして機能する。回転ローラ２２Ｃ，２２Ｄの離間距離は任意であるが、通常、栽培容器１１の長手方向各端部付近を支持可能な回転ローラが選択される。もちろん、この中継ローラとして機能する回転ローラ２２Ｃ，２２Ｄの本数は限定されるものではなく、また、中継ローラとして機能できる限り、筒状部材２２ｅ，２２ｆの軸方向に沿った長さは必ずしも一定でなくてもよい。
【００１９】
洗浄ヘッド５０は、ローラコンベア２０における搬送経路の中途に設けられ、第１の搬送通路部２３と第２の搬送通路部２４を通過する栽培容器１１に対して第１洗浄と第２洗浄をそれぞれ行うトンネル状の第１の洗浄部５１と第２の洗浄部５２を備えている。この場合、例えば、第１の洗浄部５１から洗剤（あるいは水や消毒液等）を噴出し、第２の洗浄部５２から消毒液（あるいは水や洗剤等）を噴出する構成とすることができる。もちろん、同じ種類の液体を噴出するようにしてもよく、洗浄液の組み合わせは任意である。また、第１の洗浄部５１と第２の洗浄部５２のそれぞれが複数の噴出口を設け、それぞれにおいて複数種類の洗浄液を噴出する構成とすることも可能である。
【００２０】
本実施形態の洗浄装置１によれば、図５に示したように、栽培容器１１をローラコンベア２０の始端側において、支持枠体２１の片側の側板寄りに形成された第１の搬送通路部２３に載置すると、この第１の搬送通路部２３を形成する一本おきに配置された一方の回転ローラ２２Ａの筒状部材２２ｃに接触する。このため、一方の回転ローラ２２Ａの回転方向に従って、栽培容器１１は図５の矢印Ｘ方向に搬送される。搬送された栽培容器１１は、洗浄ヘッド５０の第１の洗浄部５１を通過して、この際に第１の洗浄部５１から、洗剤等の洗浄液が噴出されて洗浄される。
【００２１】
栽培容器１１は、第１の洗浄部５１通過後にローラコンベア２０の終端部に至ると、センサがこれを感知して、スライド部材４２が動作し、このスライド部材４２の爪部４２ａにより図５の矢印Ｙ方向に押されて、中継ローラとして機能する回転ローラ２２Ｃ，２２Ｄを介して、第２の搬送通路部２４へと移動する。スライド部材４２は次に搬送されてくる栽培容器１１に備えて元位置に復帰する。第２の搬送通路部２４上に至ると、該第２の搬送経路部２４を構成する他方の回転ローラ２２Ｂの大径部である筒状部材２２ｄに接触する。他方の回転ローラ２２Ｂは、一方の回転ローラ２２Ａと逆方向に回転するため、栽培容器１１は、第１の搬送通路部２３による搬送方向とは逆方向の図５の矢印Ｚ方向に搬送される。搬送された栽培容器１１は、洗浄ヘッド５０の第２の洗浄部５２を通過して、この際に第２の洗浄部５２から、例えば消毒液が噴出されて洗浄（消毒）される。栽培容器１１は、第２の洗浄部５２を通過した後、ローラコンベア２０の始端側に至り、ここから搬出される。このようにして、次から次へと、栽培容器１１は搬送されながら複数回の洗浄が自動的に施される。
【００２２】
このように、本発明は、１台のローラコンベア２０の搬送経路を栽培容器が往復可能な構成とすることにより、１台のローラコンベアでありながら、少なくとも２度の洗浄を行うことができる。従って、温室等の限られたスペースにおける占有面積が小さくて済み、コスト的にも有利である。また、栽培容器１１のローラコンベアへの搬入・搬出は、ローラコンベアの一方の端部において行うことができるため、作業工数や作業時間の低減を図れ、作業性の向上を図ることができる。
【００２３】
なお、上記実施形態においては、第１の搬送通路部２３を形成する一方の回転ローラ２２Ａと、第２の搬送通路部２４を形成する他方の回転ローラ２２Ｂとを一本おきに配置しているが、栽培容器等の長尺体を所定方向に搬送できる限り、適宜の本数おきに設定することも可能である。また、栽培容器等の長尺体の搬送に支障がない限り、必ずしも回転ローラ２２Ａ，２２Ｂの全てを駆動軸３２にベルト３０，３１を介して連結しなくてもよい。
【００２４】
また、上記実施形態においては、長尺体として、内部に培地を充填することができる長尺の箱形の栽培容器１１を洗浄する場合について説明したが、これに限らず、樋や各種棒材などの長尺体の洗浄にも適用可能である。
【図面の簡単な説明】
【００２５】
【図１】図１は、本発明の一実施形態に係る長尺体の洗浄装置の斜視図である。
【図２】図２は、上記実施形態のローラコンベアの構成を示す平面図である。
【図３】図３は、上記実施形態のローラコンベアの構成を示す側面図である。
【図４】図４（ａ），（ｂ）は、回転ローラへのベルトの巻き掛け方法を説明するための図である。
【図５】図５は、上記実施形態に係る洗浄装置の作用を説明するための図である。
【符号の説明】
【００２６】
１  洗浄装置
１１  栽培容器
２０  ローラコンベア
２２Ａ，２２Ｂ，２２Ｃ，２２Ｄ  回転ローラ
２２ｃ，２２ｄ，２２ｅ，２２ｄ  筒状部材
２３  第１の搬送通路部
２４  第２の搬送通路部
３０，３１  ベルト
４０  移動手段
４２  スライド部材
５０  洗浄ヘッド
５１  第１の洗浄部
５２  第２の洗浄部
【図１】
2005329332.tif 000003
【図２】
2005329332.tif 000004
【図３】
2005329332.tif 000005
【図４】
2005329332.tif 000006
【図５】
2005329332.tif 000007